(57)【要約】【課題】本発明の目的は、冬季にも枯れることない常緑の芝生面１、２、３を提供すること及びそのような芝生面１、２、３の施工を可能とする芝張り工法を提供することにある。特に、芝の交代を不要とし寒中の作業を必要としない芝張り工法を提供することにある。【解決手段】微粉炭層４と培養土層８及び芝生７とを有する芝生面１とする。特に、微粉炭袋４ａからなる微粉炭層４とした芝生面１とする。また、微粉炭を混入したコンクリート層５と培養土層８及び芝生７を有する芝生面２とする。さらに、板６と微粉炭層４と培養土層８及び芝生７を有する芝生面３とする。また、そのような芝生面１、２、３を提供する芝張り工法とする。【選択図】            図１
2004248599.tif 000002
【特許請求の範囲】
【請求項１】
微粉炭層と前記微粉炭層の上の培養土層及び前記培養土層の上の芝生とを有することを特徴とする芝生面。
【請求項２】
微粉炭を袋詰めにした微粉炭袋を並べてなる微粉炭層と前記微粉炭層の上の培養土層及び前記培養土層の上の芝生とを有することを特徴とする芝生面。
【請求項３】
微粉炭を混入したコンクリート又は微粉炭を混入したモルタルのいずれかの層と、前記コンクリート又は前記モルタルの層の上の培養土層及び前記培養土層の上の芝生とを有することを特徴とする芝生面。
【請求項４】
板と前記板の上に設けた請求項１又は請求項２のいずれかの発明とからなる芝生面。
【請求項５】
芝生面を施工する工法であって、微粉炭をまく方法若しくは微粉炭袋を並べる方法のいずれかの方法又は前記両方法を併用してなる微粉炭層を設ける工程と、前記微粉炭の層の上に培養土層を設ける工程と、前記培養土層の上に芝生を植える工程とからなる芝張り工法。
【請求項６】
芝生面を施工する工法であって、微粉炭を混入したコンクリート又は微粉炭を混入したモルタルのいずれかの層を施工する工程と、前記コンクリート又はモルタルの層の上に培養土層を設ける工程と、前記培養土層の上に芝生を植える工程とからなる芝張り工法。
【請求項７】
予め、請求項４に記載した芝生面を準備しておき、必要なときに必要な場所に、請求項４に記載した芝生を並べることにより芝生面を提供する芝張り工法。
【発明の詳細な説明】
【０００１】
【発明の属する技術分野】
本発明は、公園、グランド、ゴルフ場、庭園などに用いられる芝生面であって、冬季にも枯れることがない常緑の芝生面を提供することに関する。
【０００２】
【従来の技術】
芝には夏期に育成が盛んとなる高麗芝などの夏芝と、秋季から春期にかけて最も成長するいわゆる冬芝がある。夏芝は春から秋までは緑の芝生を保つが冬には枯れてしまい茶色の芝生面となってしまう問題があった。
また従来は、冬にも緑の芝生面を提供する方法としてオーバーシーティング方法が行われていた。この方法は、夏期には夏芝を育成し、秋季に夏芝を短く刈り込んだところに冬芝の種をまき、冬季には冬芝を育成する方法である。
しかしオーバーシーティング方法では、夏芝から冬芝への交代や冬芝から夏芝への交代の手間がかかる問題と、冬季に育成が盛んな冬芝であるため寒い中で芝刈りや散水を行わなければならない問題を有していた。
従来、芝生などの土壌を改良する発明として、微粉炭燃焼灰と腐食物質土壌を混合する発明があった（例えば、特許文献１参照。）。しかし、係る発明は土壌中の微生物の活性を促すことを目的とするに止まるため、冬季に緑の芝生面を提供することができなかった。
【０００３】
【特許文献１】
特開平１０−８８１３８号公報（全頁）
【０００４】
【発明が解決しようとする課題】
本発明は、上記した従来技術の欠点を除くためなされたもので、その目的は冬季にも枯れることない常緑の芝生面を提供すること、及びそのような芝生面の施工を可能とする芝張り工法を提供することにある。
通常、夏芝は冬には枯れてしまい茶色の芝生面となってしまうが、枯れるのは表面の部分だけで地中の根や茎は枯れていない。そこで本発明の目的は、芝生を活性化させることにより、一年中緑の芝生面を提供することにある。
また、オーバーシーティング方法が有する、夏芝と冬芝との交代の手間がかかる問題や寒中に芝刈りや散水を行わなければならない問題をなくし、芝生の交代を不要とし寒中の作業を必要としない芝張り工法を提供することにある。
【０００５】
【課題を解決するための手段】
請求項１の発明は、微粉炭層と前記微粉炭層の上の培養土層及び前記培養土層の上の芝生とを有する芝生面とする。
微粉炭は遠赤外線を出すが、この遠赤外線は芝生に対して温熱効果を与えるため、冬季に芝生が枯れることを防止する効果がある。また、土壌中の調湿作用を持ち常時適正な水分調整をする効果があるからである。
さらに微粉炭の遠赤外線は土壌中の水分子を共振させ、水のクラスターをこわして−イオンを発生させる。そして−イオン環境は、芝や土壌中の微生物などを構成する物質の酸化を防止してこれらを活性化する。
以上のような作用の相乗効果として、冬季においても枯れることのない芝生面を提供することができるからである。
このとき微粉炭の量としては、１平方メートル当たり３〜１０ｋｇの微粉炭を使用することが好ましい。また、培養土の層の厚さは１０〜３０ｃｍの厚さとすることが好ましい。
請求項２の発明は、微粉炭袋を並べてなる微粉炭層と前記微粉炭層の上の培養土層及び前記培養土層の上の芝生とを有する芝生面とする。袋としては土壌中で腐食分解する紙や布などの袋を使用することが好ましい。
微粉炭を袋詰めにしたのは、微粉炭層を施工するときに微粉炭が周囲の環境、作業者、用具その他の機器を汚染することを防止すると共に、微粉炭層を施工する作業性を向上させるためである。このとき、施工後に袋の一部を破っておくと微粉炭の作用を促進させる点で好ましい。
請求項３の発明は、微粉炭を混入したコンクリート又は微粉炭を混入したモルタルのいずれかの層と、前記コンクリート又は前記モルタルの層の上の培養土層及び前記培養土層の上の芝生とを有する芝生面とする。
このとき、コンクリートやモルタルに混入させる微粉炭の量は、コンクリート等１立方メートル当たり１０〜４０ｋｇとすることが好ましい。コンクリートの厚さについては特にこだわるものではない。
予めコンクリートやモルタルに微粉炭を混入させておけば、新たに微粉炭の層を施工する必要はないからである。本発明によりビルの屋上、ベランダ、テラス、陸上グランド、野球場、テニスコートなどの構造物の上にも冬に枯れない芝生を提供することができる。
【０００６】
請求項４の発明は、板と前記板の上に設けた請求項１又は請求項２のいずれかの発明とからなる芝生面とする。
木の板、鉄板の板、樹脂の板、モルタルの板等の上で芝生を育成しておき、顧客の要望に合わせて、顧客の求める場所に直ちに芝生面を提供し、不要になったときに直ちに撤去することを可能とするためである。
請求項５の発明は、芝生面を施工する工法であって、微粉炭をまく方法若しくは微粉炭袋を並べる方法のいずれかの方法又は前記両方法を併用してなる微粉炭層を設ける工程と、前記微粉炭の層の上に培養土層を設ける工程と、前記培養土層の上に芝生を植える工程とからなる芝張り工法とする。
本発明は、請求項１又は請求項２に記載した芝生面を提供する工事の方法であって、前記芝生面の製造方法に関する発明である。
請求項６の発明は、芝生面を施工する工法であって、微粉炭を混入したコンクリート又は微粉炭を混入したモルタルのいずれかの層を施工する工程と、前記コンクリート又はモルタルの層の上に培養土層を設ける工程と、前記培養土層の上に芝生を植える工程とからなる芝張り工法とする。
本発明は、請求項３に記載した芝生面を提供する工事の方法であって、前記芝生面の製造方法に関する発明である。
請求項７の発明は、予め、請求項４に記載した芝生面を準備しておき、必要なときに必要な場所に、請求項４に記載した芝生を並べることにより芝生面を提供する芝張り工法とする。
本発明は、請求項４に記載した芝生面を有効に利用して、芝生面を提供する方法に関する発明である。例えば、パーティ会場、イベント会場、展示会場その他臨時的に芝生面を設置したい場合に、容易に対応して芝生面を提供するサービスを行うことを可能とした発明である。
【０００７】
【発明の実施の形態】
以下本発明の実施例の１部を図面に示し説明する。図１に示す第１実施例の芝生面１では、微粉炭袋４ａを並べて微粉炭層４を設けた。
微粉炭は、日の丸カーボテクノ株式会社製の商品名「カーボンスペシャル」を使用した。メーカーの資料によると固定炭素９８％以上のコークサンドと粒状の備長炭を配合したものである。また、微粉炭を詰める袋として土壌中で腐食分解する紙を使用した。
また、微粉炭層４の上に有機肥料をふくんだ培養土層８を設け、培養土層８の上に、根７ｂと茎７ａとを有する高麗芝である芝生７を植えた。培養土層８の層の厚さは約２０ｃｍとした。
図２に示した第２実施例の芝生面２では、微粉炭を混入した厚さ２０ｃｍのコンクリート層５を設けた。本実施例では、コンクリート１立方メートル当たり前記カーボンスペッシャルを２０ｋｇ混入した。
また、コンクリート層５の上に有機肥料をふくんだ培養土層８を設け、培養土層８の上に高麗芝の芝生７を植えた。本実施例では、培養土層８の層の厚さを１５ｃｍとした。
図３に示した第３実施例の芝生面３では、木製の板６の上に実施例１に記載した微粉炭層４、培養土層８そして高麗芝の芝生７を植えた。
【０００８】
実施例１、実施例２、実施例３の芝生はいずれも冬季において枯れることなく緑色の芝生面を有していた。
微粉炭層４やコンクリート層５に含まれる微粉炭が出す遠赤外線が、芝生に対して温熱効果を与えて冬季になっても芝生が枯れることを防止する。
また、微粉炭層４や微粉炭を含むコンクリート層５が、土壌中の調湿作用を持ち常時適正な水分調整をする効果がある。
さらに、微粉炭層４やコンクリート層５に含まれる微粉炭の出す遠赤外線は、土壌中の水分子を共振させ、水のクラスターをこわして−イオンを発生させる。そして−イオン環境は、芝生や土壌中の微生物などを構成する物質の酸化を防止してこれらを活性化する効果がある。
以上のような作用の相乗効果として、冬季においても枯れることのない常緑の芝生面を提供することができたと考えられる。
また、実施例３の発明により、一定のスペースの芝生面を一挙に持ち運び、設置及び撤去作業を行うことが容易となった。このため、臨機応変に芝生面の仮設と撤去を行うサービスが可能となった。
【０００９】
【発明の効果】
本発明により、冬季にも枯れることない常緑の芝生面を提供すること、及びそのような芝生面の施工を可能とする芝張り工法を提供することができた。
また、オーバーシーティング方法が有する、夏芝と冬芝との交代の手間がかかる問題や、寒中に芝刈りや散水を行わなければならない問題をなくし、芝の交代を不要とし寒中の作業を必要としない芝張り工法を提供することができた。
さらに、パーティ会場、イベント会場、展示会場その他臨時的に芝生面を設置したい場合に、容易に対応して芝生面を提供するサービスを行うことを可能とすることができた。
【図面の簡単な説明】
【図１】第１実施例の芝生面の部分断面図である。
【図２】第２実施例の芝生面の部分断面図である。
【図３】第３実施例の芝生面の部分断面図である。
【符号の説明】
１  ：芝生面              ２  ：芝生面            ３  ：芝生面
４  ：微粉炭層            ４ａ：微粉炭袋          ５  ：コンクリート層
６  ：板                  ７  ：芝生              ７ａ：茎
７ｂ：根                  ８  ：培養土層
【図１】
2004248599.tif 000003
【図２】
2004248599.tif 000004
【図３】
2004248599.tif 000005